(57)【要約】【課題】従来のカメラ付き携帯機器では、成し得なかった、撮影時の操作性や視認性を確保しつつ、使用者が直接カメラを手で触れないように筐体で保護し、カメラに外力が直接加わらないように筐体で保護したカメラ付き携帯機器を提供することを目的とする。【解決手段】連結部４により開閉可能に連結された第１及び第２の筐体２、３を閉じた状態で、カメラ８は、第１の筐体２の表面から裏面を貫通して設けられた貫通窓１６を介して被写体画像の入射光Ｚを取り込み可能にした。【選択図】          図２
2004312266.tif 000002
【特許請求の範囲】
【請求項１】
表面側に操作部を設けた第１の筐体、
表面側に表示部を設けた第２の筐体、
この第２の筐体及び第１の筐体の表面側が向い合うように上記第１及び第２の筐体の一端部側を開閉可能に連結する連結部、
上記第２の筐体の表面に略直交する被写体画像の入射光を取り込むカメラ、
及び上記第１の筐体の表面から裏面を貫通して設けられた貫通窓を備え、
上記第１及び第２の筐体を閉じた状態で、上記カメラは上記貫通窓を介して被写体画像の入射光を取り込み可能なことを特徴とするカメラ付き携帯機器。
【請求項２】
第１及び第２の筐体を閉じた状態で、第１の筐体の一端及び他端は上記第２の筐体より突出して形成されていることを特徴とする請求項１に記載のカメラ付き携帯機器。
【請求項３】
カメラは連結部に設けられ、第１及び第２の筐体の開閉に連動し、上記第２の筐体と一体に連動することを特徴とする請求項１に記載のカメラ付き携帯機器。
【請求項４】
カメラは第２の筐体の表面側に設けられていることを特徴とする請求項１に記載のカメラ付き携帯機器。
【請求項５】
表面側に操作部を設けた第１の筐体、
表面側に表示部を設けた第２の筐体、
この第２の筐体及び第１の筐体の表面側が向い合うように上記第１及び第２の筐体の一端部側を開閉可能に連結する連結部、
上記第１及び第２の筐体を閉じた状態で、上記第１の筐体の他端より突出して形成した上記第２の筐体の他端側突出部に設けられ、上記第２の筐体の表面に略直交する被写体画像の入射光を取り込むカメラを備え、
上記第１及び第２の筐体を閉じた状態で、上記カメラは被写体画像の入射光を取り込み可能なことを特徴とするカメラ付き携帯機器。
【請求項６】
カメラを作動するシャッター釦が第１又は第２の筐体の側面に設けられていることを特徴とする請求項１又は５に記載のカメラ付き携帯機器。
【請求項７】
カメラが向く方向と同一方向に向けて光を照射する光源が設けられていることを特徴とする請求項１又は５に記載のカメラ付き携帯機器。
【請求項８】
カメラ又は／及び光源を開閉可能に覆うカバーが設けられていることを特徴とする請求項７に記載のカメラ付き携帯機器。
【請求項９】
カメラは連結部の連結軸と直交する中心線よりもシャッター釦側に偏った位置に設けられていることを特徴とする請求項６に記載のカメラ付き携帯機器。
【請求項１０】
第２の筐体の裏面側に設けられた補助の表示部を備え、上記第１及び第２の筐体を開いたときには、表面側の表示部にカメラの被写体画像を表示させ、閉じたときには、上記補助の表示部に上記カメラの被写体画像を表示させることを特徴とする請求項１又は請求項５に記載のカメラ付き携帯機器。
【請求項１１】
第１及び第２の筐体の開閉を検出する開閉検出部を備え、この開閉検出部の検出結果に応じて、カメラの被写体画像を表面側の表示部又は補助の表示部に切替表示することを特徴とする請求項１０に記載のカメラ付き携帯機器。
【請求項１２】
貫通窓は、第１の筐体の表面から裏面に向けて徐々に広がるように形成されており、被写体画像以外の外乱光がカメラに入射するのを抑止する遮光部が上記貫通窓を形成する壁面に設けられていることを特徴とする請求項１に記載のカメラ付き携帯機器。
【発明の詳細な説明】
【０００１】
【発明の属する技術分野】
この発明は、カメラを搭載する携帯電話機、携帯情報端末等のカメラ付き携帯機器に関する。
【０００２】
【従来の技術】
近年、写真付きメールを送受信するためのコミュニケーションツールとして、カメラが搭載された携帯電話機等のカメラ付き携帯機器が広く普及してきている。携帯電話機による写真付きメール利用の普及に伴い、自分自身の顔を撮像した自画像がメールに添付して用いられるように、自画像を簡単に撮像できる携帯電話機の市場要求があった。この市場要求に応えるべく、特に撮像時の操作性や視認性を考慮して、カメラや表示装置の配置も多種多用に考えられてきた。また、撮像時の操作性や視認性を考慮すると、一体型よりも２つ折れ型の携帯電話機の方がより広い表示画面の表示装置を設けることができ、カメラを搭載する携帯電話機には適している。
【０００３】
従来、この種のカメラ付き携帯機器として、表面にメインディスプレイ、裏面にサブディスプレイが設けられた第１の筐体と、裏面に内蔵カメラが設けられた第２の筐体とが開閉可能に接続されており、第１及び第２の筐体が開いた状態で、使用者自身の撮像画像をサブディスプレイに表示して撮像することができる折り畳み式移動通信機がある（特許文献１参照）。
【０００４】
【特許文献１】
特開２００２−３００２３７号公報（第５頁段落［００４３］、図３）
【０００５】
【発明が解決しようとする課題】
特許文献１に掲載された従来の携帯電話機は、使用者が第１及び第２の筐体を開いた状態で、第２の筐体の裏面に設けられた内蔵カメラを自分に向けて、サブディスプレイに表示される画像を確認しながら、自画像を撮像することができた（図３（Ｂ））。
【０００６】
しかしながら、この特許文献１に記載された携帯電話機では、内蔵カメラが第２の筐体の裏面に設けられているため、第１及び第２の筐体の開閉にかかわらず、内蔵カメラが常に露出され、使用者が内蔵カメラを直接手で触ったりして内蔵カメラのレンズを汚してしまう問題があった。また、携帯電話機の内蔵カメラは小型精密機械であるため、外力に対する耐荷重値が小さく壊れ易いものである。そのため、携帯電話機を誤って落下させて、内蔵カメラを壊してしまうこともあった。更に、携帯電話機を机上に置いた状態で、携帯電話機に外力が加わった場合にも内蔵カメラに直接負荷が加わり、内蔵カメラを壊してしまうこともあった。
【０００７】
この発明は上記のような課題を解決するためになされたもので、特に２つ折れ型であって、撮影時の操作性や視認性を確保しつつ、使用者が直接カメラを手で触れないように保護し、外力がカメラに直接加わらないように保護したカメラ付き携帯機器を提供することを目的とする。
【０００８】
【課題を解決するための手段】
この発明に係るカメラ付き携帯機器は、表面側に操作部を設けた第１の筐体、表面側に表示部を設けた第２の筐体、この第２の筐体及び第１の筐体の表面側が向い合うように上記第１及び第２の筐体の一端部側を開閉可能に連結する連結部、上記第２の筐体の表面に略直交する被写体画像の入射光を取り込むカメラ、及び上記第１の筐体の表面から裏面を貫通して設けられた貫通窓を備え、上記第１及び第２の筐体を閉じた状態で、上記カメラは上記貫通窓を介して被写体画像の入射光を取り込み可能に構成されたものである。
【０００９】
【発明の実施の形態】
実施の形態１．
本発明の実施の形態１について、図に基づいて説明する。
【００１０】
図１は、本発明の実施の形態１における携帯電話機の筐体を開いた状態の構成を示す図であって、図１（ａ）は正面外観図、図１（ｂ）はＡ−Ａ断面図を含む側面外観図である。
【００１１】
図１（ａ）、（ｂ）において、カメラ付き携帯機器としての携帯電話機の本体１は、第１の筐体２と第２の筐体３を備えている。第１の筐体２の表面２ａ側には操作部１２が設けられ、第２の筐体３の表面３ａ側には表示部としての第１の表示部５、裏面３ｂ側には補助表示部としての第２の表示部６が設けられている。第１の表示部５は、第２の表示部６と共に、第２の筐体３内部に設けられたプリント基板７の表面及び裏面上に実装されている。連結部としてのヒンジ部４が、第１及び第２の筐体２、３の表面側２ａ、３ａが向かい合うように第１及び第２の筐体２、３の一端側を開閉可能に連結している。
【００１２】
図１（ｂ）において、カメラ８はカメラ用プリント基板９上に実装され、第２の筐体３の表面３ａに略直交する被写体画像の入射光Ｚを取り込めるように、第２の筐体３の一端３ａ側におけるヒンジ部４に、第２の筐体３の表面３ａに略直交させた状態で固定して設けられている。従って、カメラ８は第１及び第２の筐体２、３の開閉に伴って第２の筐体３と一体に連動する。第１及び第２の筐体２、３を開いたときには、カメラ８の被写体画像が第１の表示部５に表示される。プリント基板７及びカメラ用プリント基板９間はフレキシブル基板１０によって電気的接続がされている。
【００１３】
また、好ましくは、カメラ８はヒンジ部４の連結軸Ｂ−Ｂと直交する中心線Ａ−Ａ’よりもシャッター釦１１側に偏った位置に設けられる。
【００１４】
シャッター釦１１はカメラ８を動作させる釦であって、第１の筐体２の側面に設けられている。シャッター釦１１を長押しすれば、カメラ８が起動され、カメラ８起動後にシャッター釦１１を押せば、第１又は第２の表示部５、６に表示されるカメラ８の被写体画像を撮映することができる。また、再度、シャッター釦１１を長押しすれば、カメラ８が停止する。なお、シャッター釦１１は第１の筐体２に限らず第１の筐体２の側面に設けても良い。
【００１５】
操作部１２は第１の筐体２の表面２ａ側に複数の押し釦を配列して構成されており、第１の筐体２側面に設けたシャッター釦１１とは別のシャッター釦１３を含む。なお、このシャッター釦１３は、主に第２の筐体３を開いたときに、第１の表示部５に表示されるカメラ８の被写体画像を撮映するのに用いられる。
【００１６】
図２は本発明の実施の形態１における携帯電話機の筐体を閉じた状態の構成を示す図であって、図２（ａ）は正面外観図、図２（ｂ）はＣ−Ｃ断面図を含む側面外観図、図２（ｃ）は背面外観図である。
【００１７】
図２（ａ）〜（ｃ）において、第１の筐体２の一端２ｃ及び他端２ｄは第２の筐体３より突出して形成されている。
【００１８】
カメラ８は第１及び第２の筐体２、３の開閉動作に連動して、第２の筐体３と一体に連動して回動される。第１及び第２の筐体２、３を閉じたときに、カメラ８は第２の表示部６の表示方向と逆方向に向けられ、カメラ８の被写体画像は第２の表示部６に表示される。
【００１９】
貫通窓１６は第１の筐体２の表面２ａから裏面２ｂを貫通して設けられている。カメラ８は、第１及び第２の筐体２、３を閉じた状態で、貫通窓１６を介して被写体画像の入射光Ｚを取り込めるように、貫通窓１６に位置対応させて配置されている。なお、貫通窓１６の大きさは、カメラ８の被写体画像を取り込めるよう、カメラ８の撮像範囲（画角Ｍ）よりも広い大きさに形成されている。
【００２０】
光源１７は第２の筐体３を閉じたときに、カメラ８の近傍に配置されるように第１の筐体２の背面２ｂに設けられ、カメラ８が向く方向と同一方向に向けて光を照射する。
【００２１】
図３は本発明の実施の形態１における携帯電話機のヒンジ部周辺の分解平面図である。
【００２２】
図３において、ヒンジ部４の連結軸線上に一対のヒンジ４ａが設けられ、第１及び第２の筐体２、３の一端２ｃ、３ｃ側を開閉可能に軸支して連結している。ヒンジ４ａは、第１及び第２の筐体２、３が所定開角度で開いた状態で保持することができる。このヒンジ４は例えば特開平９−２８４１６５号公報に示されたヒンジ装置が用いられ、第１の筐体２及び第２の筐体３へのヒンジ４ａの取り付けやヒンジ４ａの動作は、この公報の内容に従うものとする。
【００２３】
プリント基板１８は第１の筐体２内に設けられ、複数の電子部品を実装すると共に、操作部１２やシャッター釦１１に電気的に接続されている。電気配線としてのフレキシブル基板１９は第１の筐体２に設けられたプリント基板１８及び第２の筐体３に設けられたプリント基板７間を電気的に接続する。カメラ８及びフレキシブル基板１９は、ヒンジ部４に図３に示されるように並設されて設けられている。このようにして、ヒンジ部４の実装空間を有効活用している。
【００２４】
図４は、本発明の実施の形態１における携帯電話機の回路構成を示す図である。
【００２５】
図４において、開閉検出部１９は第１及び第２の筐体２、３の開閉を検知する。この開閉検出部１９は、例えば、磁石とリードスイッチによって構成され、第１及び第２の筐体２、３を閉じたとき、リードスイッチに磁石が近づくことによりリードスイッチの接点がＯＮとなり、開いたとき、リードスイッチから磁石が遠ざかることによりリードスイッチの接点がＯＦＦとなるように設定されている。制御部２０により制御される表示制御部２１が、開閉検出部１９の検出結果に応じて、第１及び第２の筐体２、３が開いたときは第１の表示部５に、閉じたときには第２の表示部６に、カメラ８の被写体画像を表示切替させる。
【００２６】
シャッター釦１１、１３は押下されると、制御部２０を介してカメラ８を作動させる。但し、シャッター釦１３の押下は、開閉検出部１９が第１及び第２の筐体２、３が開いている状態と認識したときのみ、制御部２０を介してカメラ８を作動させることができる。カメラ８が起動された後、シャッター釦１１、１３が押下されると、制御部２０が、カメラ８に取り込まれた被写体画像を記憶部２２に記憶すると共に、表示制御部２１が記憶部２２に記憶された被写体画像を第１又は第２の表示部５、６に静止画像表示する。また、操作部１２からの所定入力によって、制御部２０が記憶部２２に記憶されている被写体画像をメール等に添付して送受信部２３に入力する。送受信部２３は入力された被写体画像付きメールを変調して、高周波信号としてアンテナ２４から、送信することができる。
【００２７】
音声処理部２５はスピーカ１４及びマイク１５の音声に対して符号化や復号化処理を行う。電池２６は携帯電話機１の制御部２０をはじめとする全ての電子部品に電力を供給する。制御部２０は図４で示されたカメラ８、光源１７等の接続部品を制御する。
【００２８】
次に、このように構成された本発明の実施の形態１における携帯電話機の動作説明を図に基づいて行なう。
【００２９】
図５は本発明における携帯電話機の使用状態を示す図であって、図５（ａ）は相手又は風景をカメラで撮像している使用状態、図５（ｂ）は自画像をカメラで撮像している使用状態を示す図である。
【００３０】
図６は相手又は風景を撮像しているときのカメラの正面図である。
【００３１】
まず、相手や風景を撮像する場合について説明する。
【００３２】
図５（ａ）において、相手や風景を撮像するには、第１及び第２の筐体２、３を閉じた状態で携帯電話機の本体１を手にして使用する。図５（ａ）のように片手で撮像できるが、より安定した状態で撮像するには、図６のように、使用者は第１の筐体２の一端２ｃ及び他端２ｄを両手で持って、右手の人差し指でシャッター釦１１を押下することにより撮像する。
【００３３】
図２、図４において、シャッター釦１１を押すことにより、制御部２０によってカメラ８が起動される。カメラ８が起動されると、カメラ８は貫通窓１６を介して被写体画像の入射光を取り込む。次に取り込まれたカメラ８の被写体画像が制御部２０、表示制御部２１の命令によって第２の表示部６に表示される。使用者は被写体にカメラ８を向けて、第２の表示部６に表示されるカメラ８の被写体画像を確認しながら、シャッター釦１１を押す。シャッター釦１１が押下されると、制御部２０が、カメラ８に取り込まれた被写体画像を記憶部２２に記憶すると共に、表示制御部２１が記憶部２２に記憶された被写体画像を第２の表示部６に静止画像表示する。
【００３４】
このように、この発明の実施の形態１によれば、第２の筐体３を閉じた状態で、貫通窓１６を介して被写体画像の入射光を取り込めるので、相手や風景を撮像するときには、例えば洋服のポケットから携帯電話機を取り出して即時に、被写体を撮像することができる。
【００３５】
また、操作性や視認性を確保しつつ、第１及び第２の筐体２、３を閉じた状態では、カメラ８は、図２（ｃ）に示すように、第１の筐体２に設けられた貫通窓１６によって保護されているので、使用者はカメラ８を直接手で触ることはない。携帯電話機を落下させてしまった場合、第１の筐体２の裏面２ｂ側が直接外力を受けることとなり、第２の筐体３に設けられたカメラ８に直接外力が加わらず、外力による衝撃を緩和させることができる。そして、机上に置いた場合でもカメラ８が直接机に密着することはないから、外力がカメラ８に直接加わらない。
【００３６】
そして、第１の筐体２は第２の筐体３より一端２ｃ及び他端２ｄが突出しているので、図６で示されるように第１の筐体２の一端２ｃ及び他端２ｄを使って両手で持つことができ、手によってカメラ８の被写体画像の入射光を遮ることがなく、安定した撮像操作を可能とする。そして、携帯電話機が長手方向側面を下にして落下した場合、突出させた第１の筐体２の一端２ｃ及び他端２ｄで直接外力を受けることになり、カメラ８が設けられた第２の筐体３に直接外力が加わらないので、カメラ８に加わる衝撃を緩和することができる。
【００３７】
また、図６で示されるように、シャッター釦１１は第１の筐体２又は第２の筐体３の側面に設けられているので、撮像時に携帯電話機の本体１を両手で支えながら容易に撮像することができ、安定した撮像操作を可能とする。
【００３８】
そして、図６に示されるように、カメラ８はシャッター釦１１側に偏って設けられているので、両手での撮像時に、カメラ８の撮像範囲（画角Ｍ）が携帯電話機の本体１を支えている使用者の指と干渉しない。
【００３９】
更に、第１及び第２の筐体２、３を閉じたとき、光源１７がカメラ８の近傍に配置されるように設けられているので、カメラ８の撮像範囲（画角Ｍ）と光源１７の照射範囲（角度Ｎ）の重複範囲を広く確保でき、撮像時には被写体に対して確実に光源１７を照射した状態で撮像することができる。
【００４０】
次に、自画像を撮像する場合について説明する。
【００４１】
図５（ｂ）において、自画像を撮像するには、第１及び第２の筐体２、３を開いた状態で携帯電話機の本体１を手にして使用する。
【００４２】
図１、図４において、操作部１２に含まれるシャッター釦１３を長押しすることによって、制御部２０によってカメラ８が起動される。また、操作部１２の操作によって、光源１７を、制御部２０を介して作動させることができる。カメラ８が起動されると、カメラ８の被写体画像が制御部２０、表示制御部２１によって第１の表示部５に表示される。使用者はこの第１の表示部５に表示されるカメラ８の被写体画像を確認しながら、シャッター釦１３を押す。シャッター釦１３が押下されると、制御部２０が、カメラ８に取り込まれた被写体画像の自画像を記憶部２２に記憶すると共に、表示制御部２１が記憶部２２に記憶された被写体画像の自画像を第２の表示部６に静止画像表示する。なお、シャッター釦１３ではなく、シャッター釦１１によっても同様に、自画像を撮像することができる。
【００４３】
このように、この発明の実施の形態１によれば、カメラ８は第２の筐体３の表面に略直交する被写体画像を取り込み、第１及び第２の筐体２、３の開閉動作に連動して、第２の筐体３と一体に回動するので、第１及び第２の筐体２、３を開いた状態で、第１の表示部２の表示画面と同一方向にカメラ８が向けられ、自画像を撮像するときには被写体画像の撮像状態を確実に確認しながら容易に撮像できる。
【００４４】
また、第２の筐体３を開いたとき、操作部１２に含まれるシャッター釦１３によりカメラ８を作動させることができるので、片手で容易に被写体画像を撮映することができる。
【００４５】
なお、カメラ８は連結部４側に設けられるとしたが、第２の筐体３の表面３ａ側のいずれの位置に設けても、同様の効果が得られる。
【００４６】
また、特開２００１−３２０４６３号公報に示された携帯電話機のように、表示部を回転可能に保持することで、第１及び第２の表示部５、６を設けることなく１つの表示部のみで、第１及び第２の筐体２、３を開いたときには、自画像を撮像することができ、第１及び第２の筐体２、３を閉じたときには、相手や風景を撮像することができ、同様の効果を得ることができる。
【００４７】
次に本発明の実施の形態１における携帯電話機の変形例を説明する。
【００４８】
図７は本発明の実施の形態１における携帯電話機の変形例の閉じた状態の構成を示す図であって、図７（ａ）はＤ−Ｄ断面を含む側面外面図、図７（ｂ）は裏面外観図である。
【００４９】
図７において、カバー２７は第１の筐体２に保持され、カメラ８及び光源１７をＥの方向に開閉可能に覆う。
【００５０】
このようにカバー２７を新たに追加構成したことによって、カメラ８や光源１７に対して防塵をすることができる。
【００５１】
実施の形態２．
発明の実施形態２について図に基づいて説明する。
【００５２】
図８は本発明の実施の形態２における携帯電話機の開いた状態の構成を示す図であって、図８（ａ）は正面外観図、図８（ｂ）はＦ−Ｆ断面図を含む側面外観図である。
【００５３】
図９は本発明の実施の形態２における携帯電話機の閉じた状態の構成を示す図であって、図９（ａ）はＧ−Ｇ断面を含む側面外観図、図９（ｂ）はＨ−Ｈ断面図を含む側面外観図、図９（ｃ）は背面外観図である。
【００５４】
図８（ａ）、図９（ｃ）において、カメラ８及び光源１７は、第１の筐体２に設けられたヒンジ部４に並設され、ヒンジ部４の実装空間を有効活用している。
【００５５】
カメラ８は、第１及び第２の筐体２、３を閉じた状態で、貫通窓１６を介して被写体画像の入射光Ｚを取り込めるように、貫通窓１６に位置対応させて配置されている。また、光源１７は、第１及び第２の筐体２、３を閉じた状態で、貫通窓１６を介して被写体を照射できるように、貫通窓１６に位置対応させて配置されている。なお、貫通窓１６の大きさは、カメラ８の撮像範囲（画角Ｍ）及び光源１７の照射範囲（角度Ｎ）をカバーする大きさに形成されている。
【００５６】
このように、この発明の実施の形態２によれば、カメラ８と光源１７は互いに近傍に並べてヒンジ部４に設けられているので、ヒンジ部４の実装空間を有効に活用できると共に、撮像時におけるカメラ８の撮像範囲（画角Ｍ）と光源１７の照射範囲（角度Ｎ）との重複範囲を効率良く確保することができる。
【００５７】
次に本発明の実施の形態２における携帯電話機の変形例を説明する。
【００５８】
図１０は本発明の実施の形態２における携帯電話機の変形例の閉じた状態の構成を示す裏面外観図である。
【００５９】
図１０において、カバー２７は第１の筐体２に保持され、カメラ８及び光源１７をＩの方向に開閉可能に覆う。
【００６０】
このように、カバー２７を新たに追加構成したことによって、カメラ８や光源１７に対して防塵をすることができる。
【００６１】
実施の形態３．
発明の実施形態３について図に基づいて説明する。
【００６２】
図１１は本発明の実施の形態３における携帯電話機の開いた状態の構成を示す図であって、図１１（ａ）は正面外観図、図１１（ｂ）はＪ−Ｊ断面図を含む側面外観図である。
【００６３】
図１２は本発明の実施の形態３における携帯電話機の閉じた状態の構成を示す図であって、図１２（ａ）は正面外観図、図１２（ｂ）はＫ−Ｋ断面を含む側面外観図、図１２（ｃ）は背面外観図である。
【００６４】
図１２（ｂ）、（ｃ）において、カメラ８は、第１及び第２の筐体２、３を閉じた状態で、第１の筐体２の他端２ｄより突出して形成された第２の筐体３の他端３ｄ側突出部２７に設けられ、第２の筐体３の表面３ａに略直交する被写体画像の入射光Ｚを取り込む。また、カメラ８は、カメラ８の撮像範囲（画角Ｍ）と第１の筐体２の他端２ｄとが互いに干渉しないように設けられている。
【００６５】
スピーカ１４はカメラ８の実装領域を避けて第２の筐体３内部に設けられている。
【００６６】
このようにして、この発明の実施の形態３によれば、カメラ８は第２の筐体３の他端３ｄ側突出部２７に設けられているので、第１の筐体２と干渉することなく、第１及び第２の筐体２、３を閉じた状態で、被写体画像の入射光Ｚを取り込むことができる。
【００６７】
実施の形態４．
発明の実施形態４について図に基づいて説明する。
【００６８】
図１３は本発明の実施の形態４における携帯電話機の構成を示す図であって、図１３（ａ）は携帯電話機の開いた状態の正面側の外観斜視図、図１３（ｂ）は携帯電話機の開いた状態の背面側の外観斜視図、図１３（ｃ）は携帯電話機の閉じた状態の背面側の外観斜視図である。
【００６９】
図１４は図１３（ｃ）におけるＡ−Ａ断面図であって、特にカメラ周辺の断面を示す図である。
【００７０】
図１５は図１３（ｃ）におけるＡ−Ａ断面のカメラ周辺の拡大断面図であって、図１５（ａ）は携帯電話機の閉じた状態のカメラ周辺の拡大断面図、図１５（ｂ）携帯電話機の開いた状態のカメラ周辺の拡大断面図である。
【００７１】
図１３（ｂ）、（ｃ）において、遮光部としてのレンズフード２８が第１の筐体２に設けられた貫通窓１６を形成する壁面に取り付けられている。このレンズフード２８は図１４、図１５（ａ）に示すように、カメラ８の画角Ｍより広い角度Ｐで、第１の筐体２の表面２ａから裏面２ｂに向けて徐々に広がるように形成されており、被写体画像以外の外乱光がカメラ８に入射するのを抑止する。また、更に、レンズフード２８の表面につや消し黒の塗装を施せば、なお好ましい。
【００７２】
このように、この発明の実施の形態４によれば、レンズフード２８を貫通窓１６の壁面に取り付けたので、逆光のときでも、被写体以外の外乱光がカメラ８に入射するのを抑止し、カメラ８は被写体画像の入射光を効率良く取り込むことが可能である。
【００７３】
【発明の効果】
このように、この発明によれば、第１及び第２の筐体を閉じた状態で、貫通窓を介して被写体画像を取り込み可能にしたので、撮影時の操作性や視認性を確保しつつ、使用者が直接カメラを手で触れないように保護できるカメラ付き携帯機器を得ることができる。また、貫通窓によってカメラを避けて筐体が外力を受けることにより、外力がカメラに直接加わらないようにすることができ、カメラに加わる外力を緩和することができるカメラ付き携帯機器を得ることができる。
【図面の簡単な説明】
【図１】本発明の実施の形態１における携帯電話機の筐体を開いた状態の構成を示す図であって、図１（ａ）は正面外観図、図１（ｂ）はＡ−Ａ断面図を含む側面外観図である。
【図２】本発明の実施の形態１における携帯電話機の筐体を閉じた状態の構成を示す図であって、図２（ａ）は正面外観図、図２（ｂ）はＣ−Ｃ断面図を含む側面外観図、図２（ｃ）は背面外観図である。
【図３】本発明の実施の形態１における携帯電話機のヒンジ部周辺の分解平面図である。
【図４】本発明の実施の形態１における携帯電話機の回路構成を示す図である。
【図５】本発明における携帯電話機の使用状態を示す図であって、図５（ａ）は相手又は風景をカメラで撮像している使用状態、図５（ｂ）は自画像をカメラで撮像している使用状態を示す図である。
【図６】相手又は風景を撮像しているときのカメラの正面図である。
【図７】本発明の実施の形態１における携帯電話機の変形例の閉じた状態の構成を示す図であって、図７（ａ）はＤ−Ｄ断面を含む側面外面図、図７（ｂ）は裏面外観図である。
【図８】本発明の実施の形態２における携帯電話機の開いた状態の構成を示す図であって、図８（ａ）は正面外観図、図８（ｂ）はＦ−Ｆ断面図を含む側面外観図である。
【図９】本発明の実施の形態２における携帯電話機の閉じた状態の構成を示す図であって、図９（ａ）はＧ−Ｇ断面を含む側面外観図、図９（ｂ）はＨ−Ｈ断面図を含む側面外観図、図９（ｃ）は背面外観図である。
【図１０】本発明の実施の形態１における携帯電話機の変形例の閉じた状態の構成を示す裏面外観図である。
【図１１】本発明の実施の形態３における携帯電話機の開いた状態の構成を示す図であって、図１１（ａ）は正面外観図、図１１（ｂ）はＪ−Ｊ断面図を含む側面外観図である。
【図１２】本発明の実施の形態３における携帯電話機の閉じた状態の構成を示す図であって、図１２（ａ）は正面外観図、図１２（ｂ）はＫ−Ｋ断面を含む側面外観図、図１２（ｃ）は背面外観図である。
【図１３】本発明の実施の形態４における携帯電話機の構成を示す図であって、図１３（ａ）は携帯電話機の開いた状態の正面側の外観斜視図、図１３（ｂ）は携帯電話機の開いた状態の背面側の外観斜視図、図１３（ｃ）は携帯電話機の閉じた状態の背面側の外観斜視図である。
【図１４】図１３（ｃ）におけるＡ−Ａ断面図であって、特にカメラ周辺の断面を示す図である。
【図１５】図１３（ｃ）におけるＡ−Ａ断面のカメラ周辺の拡大断面図であって、図１５（ａ）は携帯電話機の閉じた状態のカメラ周辺の拡大断面図、図１５（ｂ）携帯電話機の開いた状態のカメラ周辺の拡大断面図である。
【符号の説明】
１  本体、２  第１の筐体、３  第２の筐体、４  ヒンジ部、４ａ  ヒンジ、５  第１の表示部、６  第２の表示部、７、１８  プリント基板、８  カメラ、９  カメラ用プリント基板、１０  フレキシブル基板、１１、１３  シャッター釦、１２  操作部、１４  スピーカ部、１５  マイク部、１６  貫通窓、１７  光源、１９  フレキシブル基板、２０  制御部、２１  表示制御部、２２  記憶部、２３  送受信部、２４  アンテナ、２５  音声処理部、２６  電池、２７  他端側突出部、２８  レンズフード。
【図１】
2004312266.tif 000003
【図２】
2004312266.tif 000004
【図３】
2004312266.tif 000005
【図４】
2004312266.tif 000006
【図５】
2004312266.tif 000007
【図６】
2004312266.tif 000008
【図７】
2004312266.tif 000009
【図８】
2004312266.tif 000010
【図９】
2004312266.tif 000011
【図１０】
2004312266.tif 000012
【図１１】
2004312266.tif 000013
【図１２】
2004312266.tif 000014
【図１３】
2004312266.tif 000015
【図１４】
2004312266.tif 000016
【図１５】
2004312266.tif 000017